(57)【特許請求の範囲】
【請求項１】
用紙を所定の縦寸法及び所定の横寸法に折畳むための用紙折畳み用補助具であって、
水平なベース面を有するベース部材と、
前記ベース面上に積層できるよう可動する上折プレートと、
前記ベース面上に積層できるよう可動する第１折曲げプレートと、
前記ベース面上に積層できるよう可動する第３折曲げプレートと、
前記ベース面上に積層できるよう可動する第２折返しプレートと、を備え、
前記ベース部材は、用紙を所定の用紙配置領域に配置するための位置決め手段を有し、
前記上折プレートは、前記ベース面上に積層されたとき上端となる部分に直線状の上折辺を有し、
前記第１折曲げプレートは、前記ベース面上に積層されたとき右端となる部分に直線状の第１折曲げ辺を有し、
前記第３折曲げプレートは、前記ベース面上に積層されたとき右端となる部分に直線状の第３折曲げ辺を有し、
前記第２折返しプレートは、前記ベース面上に積層されたとき左端となる部分に直線状の第２折返し辺を有し、
前記各プレートが前記ベース面上に積層されたとき、前記上折辺が前記第１折曲げ辺に対して直角をなし、前記用紙配置領域の下端から前記上折辺までの寸法が前記所定の縦寸法に等しく、前記用紙配置領域の左端から前記第１折曲げ辺までの寸法が前記所定の横寸法に等しく、前記第３折曲げ辺が前記第１折曲げ辺に一致し、前記第２折返し辺が前記第１折曲げ辺と平行になるとともに前記第１折曲げ辺よりも左側であって前記用紙配置領域上に位置することを特徴とする用紙折畳み用補助具。
【請求項２】
前記ベース面上に積層できるよう可動する第２折曲げプレートと、
前記ベース面上に積層できるよう可動する第１折返しプレートと、をさらに備え、
前記第２折曲げプレートは、前記ベース面上に積層されたとき右端となる部分に直線状の第２折曲げ辺を有し、
前記第１折返しプレートは、前記ベース面上に積層されたとき左端となる部分に直線状の第１折返し辺を有し、
前記各プレートが前記ベース面上に積層されたとき、前記第２折曲げ辺が前記第１折曲げ辺と平行になるとともに前記第１折曲げ辺と前記第１折返し辺との間に位置し、前記第１折返し辺が前記第１折曲げ辺と平行になるとともに前記第２折曲げ辺と前記第２折返し辺との間に位置することを特徴とする、請求項１に記載の用紙折畳み用補助具。
【請求項３】
前記第１折曲げプレート、前記第２折曲げプレート、及び前記第３折曲げプレートは、前記ベース面に平行な第１軸を回転軸として回動し、
前記第１折返しプレート、及び前記第２折返しプレートは、前記ベース面に平行であって前記第１軸とは異なる第２軸を回転軸として回動することを特徴とする、請求項２に記載の用紙折畳み用補助具。
【請求項４】
前記各プレートのうち前記上折プレートは、その他のプレートに対して、前記上折辺側の方向にスライド可能であることを特徴とする、請求項１乃至３のういちいずれか一の項に記載の用紙折畳み用補助具。
【請求項５】
用紙を所定の縦寸法及び所定の横寸法に折畳むための用紙折畳み用補助具であって、
水平なベース面を有するベース部材と、
前記ベース面上に積層できるよう可動する上折プレートと、
前記ベース面上に積層できるよう可動する第３折曲げプレートと、
前記ベース面上に積層できるよう可動する第２折返しプレートと、を備え、
前記ベース部材は、用紙を所定の用紙配置領域に配置するための位置決め手段を有し、
前記上折プレートは、前記ベース面上に積層されたとき上端となる部分に直線状の上折辺を有するとともに、右端となる部分に直線状の補助折曲げ辺を有し、
前記第３折曲げプレートは、前記ベース面上に積層されたとき右端となる部分に直線状の第３折曲げ辺を有し、
前記第２折返しプレートは、前記ベース面上に積層されたとき左端となる部分に直線状の第２折返し辺を有し、
前記各プレートが前記ベース面上に積層されたとき、前記上折辺が前記補助折曲げ辺に対して直角をなし、前記用紙配置領域の下端から前記上折辺までの寸法が前記所定の縦寸法に等しく、前記用紙配置領域の左端から前記補助折曲げ辺までの寸法が前記所定の横寸法に等しく、前記第３折曲げ辺が前記補助折曲げ辺に一致し、前記第２折返し辺が前記補助折曲げ辺と平行になるとともに前記補助折曲げ辺よりも左側であって前記用紙配置領域上に位置することを特徴とする用紙折畳み用補助具。
【発明の詳細な説明】
【技術分野】
【０００１】
本発明は、用紙を所定の寸法で折畳むための用紙折畳み用補助具に関する。
【背景技術】
【０００２】
用紙を所定の寸法で折畳むための用紙折畳み用補助具として、特許文献１では、ベース板上に対向する２枚の折曲げ板を備えた折畳み具が提案されている。この折畳み具は、２枚の折曲げ板を順に重ねることで用紙を折り、最後に用紙をずらして上方の部分を折曲げてＡ２サイズの用紙をＡ４サイズの大きさに折畳むものである。そして、折畳み具の大きさを変えれば、Ａ１サイズの用紙をＡ３サイズの大きさに、Ｂ３サイズの用紙をＢ５サイズの大きさに折畳むことができる。
【０００３】
また、最も一般的な用紙の折畳み方法として、日本工業規格（非特許文献１参照）に記載されている方法がある。図６は、日本工業規格に記載されているＡ１〜Ａ３サイズの用紙をＡ４サイズに折畳む方法のうちいわゆるファイル折りを示したものである。図中の実線は山折りを示し、破線は谷折りを示している。また、Ａ２サイズの用紙については、図に示された折り方（以下「標準折り」という。）の他に、調整折りがない折り方（以下「簡易折り」という。）でもよいとされている。なお、特許文献１の図１０に従来の折り方として記載されている折り方は、日本工業規格に準じた折り方である。
【特許文献１】特開２００１−１９９６２９号公報
【非特許文献１】日本工業規格 ＪＩＳＺ８３１１
【発明の開示】
【発明が解決しようとする課題】
【０００４】
上記の内容から明らかなように、特許文献１に記載の折畳み具を用いた場合、折畳まれた用紙は日本工業規格に記載されているものではなく、また、位置合せは作業の最初のみならず作業の途中にも必要である。
【０００５】
そこで本発明は、日本工業規格に記載されている折り方で折畳むことができ、かつ、最初に位置合せを行えば再度の位置合せが不要である用紙折畳み用補助具を提供することを目的としている。
【課題を解決するための手段】
【０００６】
本発明は上述のような事情に鑑みてなされたものであり、本発明にかかる用紙折畳み用補助具は、用紙を所定の縦寸法及び所定の横寸法に折畳むための用紙折畳み用補助具であって、水平なベース面を有するベース部材と、前記ベース面上に積層できるよう可動する上折プレートと、前記ベース面上に積層できるよう可動する第１折曲げプレートと、前記ベース面上に積層できるよう可動する第３折曲げプレートと、前記ベース面上に積層できるよう可動する第２折返しプレートと、を備え、前記ベース部材は、用紙を所定の用紙配置領域に配置するための位置決め手段を有し、前記上折プレートは、前記ベース面上に積層されたとき上端となる部分に直線状の上折辺を有し、前記第１折曲げプレートは、前記ベース面上に積層されたとき右端となる部分に直線状の第１折曲げ辺を有し、前記第３折曲げプレートは、前記ベース面上に積層されたとき右端となる部分に直線状の第３折曲げ辺を有し、前記第２折返しプレートは、前記ベース面上に積層されたとき左端となる部分に直線状の第２折返し辺を有し、前記各プレートが前記ベース面上に積層されたとき、前記上折辺が前記第１折曲げ辺に対して直角をなし、前記用紙配置領域の下端から前記上折辺までの寸法が前記所定の縦寸法に等しく、前記用紙配置領域の左端から前記第１折曲げ辺までの寸法が前記所定の横寸法に等しく、前記第３折曲げ辺が前記第１折曲げ辺に一致し、前記第２折返し辺が前記第１折曲げ辺と平行になるとともに前記第１折曲げ辺よりも左側であって前記用紙配置領域上に位置することを特徴とする。
【０００７】
上記構成によれば、用紙を用紙配置領域に配置（位置合せ）した後、最初に上折りプレートの上折り辺に沿って用紙の上方部分を折畳み、そのまま最後まで折畳み作業を続けることができる。また、第３折曲げ辺及び第２折返し辺を用いることにより、日本工業規格に記載されているＡ１サイズ用紙の折畳みを行うことができる。
【０００８】
ここで、本発明中の「上端」や「右端」等の方向を表わす用語は、各部分の相対的な位置関係を示すために使用したものであって、絶対的な方向を示すものではない。つまり、回転等させることにより、各部分が上記のような位置関係になる用紙折畳み用補助具は、全て本発明に含まれる。この点については、下記の発明についても同様である。
【００１１】
また、上記用紙折畳み用補助具において、前記ベース面上に積層できるよう可動する第２折曲げプレートと、前記ベース面上に積層できるよう可動する第１折返しプレートと、をさらに備え、前記第２折曲げプレートは、前記ベース面上に積層されたとき右端となる部分に直線状の第２折曲げ辺を有し、前記第１折返しプレートは、前記ベース面上に積層されたとき左端となる部分に直線状の第１折返し辺を有し、前記各プレートが前記ベース面上に積層されたとき、前記第２折曲げ辺が前記第１折曲げ辺と平行になるとともに前記第１折曲げ辺と前記第１折返し辺との間に位置し、前記第１折返し辺が前記第１折曲げ辺と平行になるとともに前記第２折曲げ辺と前記第２折返し辺との間に位置するようにしてもよい。
【００１２】
かかる構成によれば、第２折曲げ辺及び第１折返し辺を用いることにより、日本工業規格に記載されているＡ２サイズ用紙の標準折りを行うことができる。
【００１３】
また、上記用紙折畳み用補助具において、前記第１折曲げプレート、前記第２折曲げプレート、及び前記第３折曲げプレートは、前記ベース面に平行な第１軸を回転軸として回動し、前記第１折返しプレート、及び前記第２折返しプレートは、前記ベース面に平行であって前記第１軸とは異なる第２軸を回転軸として回動するようにしてもよい。
【００１４】
かかる構成によれば、回動部分の機構にいわゆる「あそび」があっても、全てのプレートが同一方向に動きにくくなるため、折畳み作業中に用紙がぶれるのを抑えることができる。
【００１５】
また、上記用紙折畳み用補助具において、前記各プレートのうち前記上折プレートは、その他のプレートに対して、前記上折辺側の方向にスライド可能であるようにしてもよい。
【００１６】
かかる構成によれば、上折プレートのスライドに伴って、上折プレートの上折辺が用紙を持ち上げることができるため、畳み終わった用紙を容易に取り出すことができる。
【００１７】
さらに、本発明にかかる用紙折畳み用補助具は、用紙を所定の縦寸法及び所定の横寸法に折畳むための用紙折畳み用補助具であって、水平なベース面を有するベース部材と、前記ベース面上に積層できるよう可動する上折プレートと、前記ベース面上に積層できるよう可動する第３折曲げプレートと、前記ベース面上に積層できるよう可動する第２折返しプレートと、を備え、前記ベース部材は、用紙を所定の用紙配置領域に配置するための位置決め手段を有し、前記上折プレートは、前記ベース面上に積層されたとき上端となる部分に直線状の上折辺を有するとともに、右端となる部分に直線状の補助折曲げ辺を有し、前記第３折曲げプレートは、前記ベース面上に積層されたとき右端となる部分に直線状の第３折曲げ辺を有し、前記第２折返しプレートは、前記ベース面上に積層されたとき左端となる部分に直線状の第２折返し辺を有し、前記各プレートが前記ベース面上に積層されたとき、前記上折辺が前記補助折曲げ辺に対して直角をなし、前記用紙配置領域の下端から前記上折辺までの寸法が前記所定の縦寸法に等しく、前記用紙配置領域の左端から前記補助折曲げ辺までの寸法が前記所定の横寸法に等しく、前記第３折曲げ辺が前記補助折曲げ辺に一致し、前記第２折返し辺が前記補助折曲げ辺と平行になるとともに前記補助折曲げ辺よりも左側であって前記用紙配置領域上に位置することを特徴としてもよい。
【００１８】
かかる構成によれば、上記の第１折曲げプレートの第１折曲げ辺の代りに上折プレートの補助折曲げ辺を用いることができるので、プレートの数を減らすことができる。
【発明の効果】
【００１９】
以上の説明から明らかなように、本発明によれば、用紙を用紙配置領域に配置（位置合せ）した後、最初に上折りプレートの上折り辺に沿って用紙の上方部分を折畳み、そのまま最後まで折畳み作業を続けることができる。よって、本願発明によれば、日本工業規格に記載されている折り方で折畳むことができ、かつ、最初に位置合せを行えば再度の位置合せが不要である用紙折畳み用補助具を提供することができる。
【発明を実施するための最良の形態】
【００２０】
以下、本発明に係る実施形態について図を参照して説明する。
【００２１】
まず、本実施形態に係る用紙折畳み用補助具１の構成について説明する。本実施形態に係る用紙折畳み用補助具１は、Ａ１〜Ａ３サイズの用紙を所定（Ａ４サイズ）の縦寸法及び所定（Ａ４サイズ）の横寸法に折畳むものである。
【００２２】
図１は、本実施形態に係る用紙折畳み用補助具１の斜視図である。図１に示すように、用紙折畳み用補助具１は、ベース部材２と、上折プレート３と、第１折曲げプレート４と、第２折曲げプレート５と、第３折曲げプレート６と、第１折返しプレート７と、第２折返しプレート８、カバー部材９と、狭持部材１０と、付勢部材１１と、を備えている。以下、各構成２〜１１について順に説明する。なお、以下の説明では、図１における右側、左側、奥側、手前側を、それぞれ用紙折畳み用補助具１の右、左、上、下として説明する。また、用紙を右から左に折畳む場合は「折曲げ」、左から右に折畳む場合は「折返し」という用語を用いて説明する。
【００２３】
ベース部材２は、本実施形態に係る用紙折畳み用補助具１のベースとなる部材である。図１に示すように、ベース部材２は、ベース面１２と、位置決め手段１３と、縦軸部材１４と、横軸部材１５とを有している。ベース部材２は、安定性を確保するために金属等の材料を使用しても良いし、持ち運びしやすいように比較的軽い樹脂製の板を使用してもよい。
【００２４】
ベース面１２は、水平になっており、用紙を折畳む際、はじめに用紙を配置する用紙配置領域１６を有している。用紙配置領域１６は、用紙の大きさによって範囲が異なるが、下端及び左端はいずれの用紙であっても同じである。
【００２５】
位置決め手段１３は、ベース部材２の左縁端近傍に立設された左端位置決め片１３ａと、ベース部材２の下縁端近傍に立設された２つの下端位置決め片１３ｂ、１３ｃとを有している。このうち左端位置決め片１３ａは、用紙配置領域１６の左端縁に位置しており、この左端位置決め片１３ａに用紙を当接させて横方向の位置決めを行う。同様に、２つの下端位置決め片１３ｂ、１３ｃは、いずれも用紙配置領域１６の下端縁に位置しており、これらの下端位置決め片１３ｂ、１３ｃに用紙を当接させて縦方向の位置決めを行う。なお、本実施形態では、位置決め手段１３は、左端位置決め片１３ａ及び２つの下端位置決め片１３ｂ、１３ｃで構成されているが、位置決め手段１３を単に目印となる直線とし、この線に合せて用紙の位置決めを行っても良い。いずれにしても、位置決め手段１３は、用紙の位置決めが行えるような構成であればよい。
【００２６】
縦軸部材１４は、ベース部材２の左端縁の近傍に位置しており、上下方向に伸延する縦軸部１４ａとこの縦軸部１４ａの両端を支える縦軸支部１４ｂ、１４ｃとから主に構成されている。縦軸部１４ａは、その長さがベース面１２の上下方向の寸法に略等しく、ベース面１２と平行になっている。また、縦軸支部１４ｂ、１４ｃはベース面１２から垂直に立設しており、下方の縦軸支部１４ｂはベース面２の下辺に沿ってその中央付近まで伸延している。このように、下方の縦軸支部１４ｂが大きく伸延していることで、ベース部材２の剛性を向上させることができる。一方、上方の縦軸支部１４ｃは、最小限の長さになっている。また、縦軸部１４ａの中心を通る軸１７を回転軸として、上折プレート３、第１折曲げプレート４、第２折曲げプレート５、及び第３折曲げプレート６は回動する。以下、この縦軸部１４ａの中心を通る軸１７を「第１軸」と呼ぶ。
【００２７】
横軸部材１５は、ベース部材２の下端縁の近傍に位置しており、左右方向に伸延する横軸部１５ａとこの縦軸部の両端を支える縦軸支部１５ｂ、１５ｃとから主に構成されている。横軸部１５ａは、その長さがベース面２の横寸法のおよそ半分であって、ベース面１２と平行になっている。また、横軸支部１５ｂ、１５ｃは、ベース面１２から垂直に立設しており、ベース面１２の下辺の中央及び左端付近に位置している。そして、横軸部１５ａの中心を通る軸１８を回転軸として、第１折返しプレート７、及び第２折返しプレート８は回動する。以下、この横軸部１５ａの中心を通る軸１８を「第２軸」と呼ぶ。
【００２８】
上折プレート３は、用紙の上方部分を下方へ折曲げるために使用するプレートである。図１に示すように、上折プレート３は、略長方形の板状の部材であって、第１軸１７を回転軸として可動（回動）することでベース面１２上に積層できるように構成されている。また、上折プレート３は、ベース面１２上に積層されたとき、上端となる部分に直線状の上折辺１９を有しており、右端となる部分に直線状の補助折曲げ辺２０を有している。なお、上折プレート３の縦寸法及び横寸法は、およそＡ４用紙の縦寸法及び横寸法に等しくなっている。さらに、上折プレート３をできるだけ薄くするのが望ましい。用紙を折畳む際に用紙の折目に段がつくのを防止するためである。ただし、強度の問題から上折プレート３の全体を薄くできない場合は、例えば上折辺１９付近を楔状にして少なくとも上折辺１９を薄くするのが望ましい。同様の理由から、以下で説明する各プレートも厚みを薄くすべきである。なお、上折プレート３は、縦軸部材１４と摺動可能に連結する角柱状の連結部材２１を有している。連結部材２１は、縦軸部１４ａの中央部分よりも上方の範囲で摺動することができ、縦軸部１４ａの中央部分よりも下方の範囲はストッパー（図示せず）により摺動することができないようになっている。つまり、連結部材を摺動させることで、上折プレート３をベース部材２に対してスライドさせることができる。
【００２９】
第１折曲げプレート４は、用紙の右部分を左側へ折曲げるために使用するプレートである。図１に示すように、第１折曲げプレート４は、略長方形の板状の部材であって、第１軸１７を回転軸として可動（回動）することでベース面１２上に積層できるように構成されている。また、第１折曲げプレート４は、ベース面１２上に積層されたとき、右端となる部分に直線状の第１折曲げ辺２２を有している。さらに、第１折曲げプレート４は、上端部分及び下端部分に垂直に立設する連結部材２３を有しており、これらの連結部材２３を介して縦軸部材１４と連結している。このように連結部材２３を立設させることで、第１折曲げプレート４の剛性を高めることができる。なお、Ａ４サイズの縦寸法となった用紙を折曲げやすくするために、第１折曲げプレート４の縦寸法は、Ａ４用紙の縦寸法よりもわずかに大きくなっている。
【００３０】
第２折曲げプレート５は、用紙の右部分を左側へ折曲げるために使用するプレートである。図１に示すように、第２折曲げプレート５は、略長方形の板状の部材であって、第１軸１７を回転軸として可動（回動）することでベース面１２上に積層できるように構成されている。また、第２折曲げプレート５は、ベース面１２上に積層されたとき、右端となる部分に直線状の第２折曲げ辺２４を有している。さらに、第２折曲げプレート５は、上端部分及び下端部分に垂直に立設する連結部材２５を有しており、これらの連結部材２５を介して縦軸部材１４と連結している。このように連結部材２５を立設させることで、第２折曲げプレート５の剛性を高めることができる。なお、第２折曲げプレート５の縦寸法は第１折曲げプレート４の縦寸法よりもわずかに小さく、第２折曲げプレート５の横寸法は第１折曲げプレート４の横寸法の半分程度となっている。第２折曲げプレート５の縦寸法が第１折曲げプレート４の縦寸法よりもわずかに小さいのは、互いの連結部材２３、２５が重ならないようにするためである。
【００３１】
第３折曲げプレート６は、用紙の右部分を左側へ折曲げるために使用するプレートである。図１に示すように、第３折曲げプレート６は、略長方形の板状の部材であって、第１軸１７を回転軸として可動（回動）することでベース面１２上に積層できるように構成されている。また、第３折曲げプレート６は、ベース面１２上に積層されたとき、右端となる部分に直線状の第３折曲げ辺２６を有している。さらに、第３折曲げプレート６は、上端部分及び下端部分に立設する連結部材２７を有しており、これらの連結部材２７を介して縦軸部材１４と連結している。このように連結部材２７を立設させることで、第３折曲げプレート６の剛性を高めることができる。なお、第３折曲げプレート６の横寸法は、第１折曲げプレート４の横寸法と等しく、第３折曲げプレート６の上下方向の寸法は第２折曲げプレート５の上下方向の寸法よりもわずかに小さくなっている。第３折曲げプレート６の縦寸法が第２折曲げプレート５の縦寸法よりもわずかに小さいのは、互いの連結部材２５、２７が重ならないようにするためである。
【００３２】
第１折返しプレート７は、用紙の左部分を右側へ折返すために使用するプレートである。図１に示すように、第１折返しプレート７は、略長方形の板状の部材であって、第２軸１８を回転軸として可動（回動）することでベース面１２上に積層できるように構成されている。また、第１折返しプレート７は、ベース面１２上に積層されたとき、左端となる部分に直線状の第１折返し辺２８を有している。さらに、第１折返しプレート７は、左右両端部分において連結部材２９を有し、そのうち右端部分の連結部材２９は第１折返しプレート７の全域にわたって伸延している。そして、第１折返しプレート７は、これらの連結部材２９を介して横軸部材１５と連結している。これらの連結部材２９は垂直に立設しており、第１折返しプレート７の剛性を高めている。なお、Ａ４サイズの縦寸法となった用紙を折返しやすくするために、第１折返しプレート７の縦寸法は、Ａ４用紙の縦寸法よりも大きくなっている。
【００３３】
第２折返しプレート８は、用紙の左部分を右側へ折返すために使用するプレートである。図１に示すように、第２折返しプレート８は、略長方形の板状の部材であって、第２軸１８を回転軸として可動（回動）することでベース面１２上に積層できるように構成されている。また、第２折返しプレート８は、ベース面１２上に積層されたとき、左端となる部分に直線状の第２折返し辺３０を有している。さらに、第２折返しプレート８は、左右両端部分において連結部材３１を有し、そのうち右端部分の連結部材３１は第２折返しプレート８の全域にわたって伸延している。そして、第２折返しプレート８は、これらの連結部材３１を介して横軸部材１５と連結している。これらの連結部材３１は立設しており、第２折返しプレート８の剛性を高めている。なお、第２折返しプレート８の連結部材３１は、第１折返しプレート７の連結部材２９と重ならないように、わずかに内側に配置されている。
【００３４】
各プレート３〜８の構成は以上のとおりであるが、各プレート３〜８をベース部材２のベース面１２上に積層すると、次のような位置関係となる。つまり、上折辺１９は、各折曲げ辺２２、２４、２６及び各折返し辺２８、３０に対して直角をなす。また、第１折曲げ辺２２と第３折曲げ辺２６と補助折曲げ辺２０とが一致し、第２折曲げ辺２４が第１折曲げ辺２２と第１折返し辺２８との間に位置し、第１折返し辺２８が第２折曲げ辺２２と第２折返し辺３０の間に位置し、第２折返し辺３０が第２折曲げ辺２２よりも左側であって用紙配置領域上１６に位置する。さらに、用紙配置領域１６の下端（下端位置決め片１３ａ、１３ｂ）から上折プレート３の上折辺１９までの寸法は所定の寸法（Ａ４用紙の縦寸法）に等しく、用紙配置領域１６の左端（左端位置決め片１３ａ）から第１折曲げ辺２２までの寸法が所定の横寸法（Ａ４用紙の横寸法）に等しくなっている。
【００３５】
カバー部材９は、用紙折畳み用補助具１を持ち運び等する際に使用する部材である。図１に示すように、カバー部材９は、略長方形の部材であって、第１軸１７を回転軸として回動するように構成されている。カバー部材９の各辺のうち第１軸側の辺以外の３辺は、端部が垂直に立設して立上がり壁３２を形成している。このように、カバー部材９は立上がり壁３２を有しているため、ベース部材２をカバー部材９で覆うことで、ベース部材２とカバー部材９の間に各プレート３〜８を収容することができる。
【００３６】
狭持部材１０は、用紙を用紙配置領域１６に狭持して固定するための部材である。図１に示すように、狭持部材１０は、ベース部材２の左下部分に位置し、第１軸１７を回転軸として回動するように構成されている。狭持部材１０は、裏面に磁石３３を有しており、ベース部材２が磁性体の場合、その磁力により用紙を狭持部材１０とベース部材２の間で狭持することができる。ベース部材２が磁性体でない場合であっても、狭持部材１０の磁石３３と対応する位置に強磁性の部材を施すことで同様の効果を得ることができる。なお、上記の磁石３３に替えて、あるいは磁石３３に加えてバネ等の付勢手段を用いてもよい。例えば、狭持部材１０をベース部材２側に付勢するようなバネを縦軸部１４ａに施せば、用紙を狭持することができる。なお、狭持部材１０は、左位置決め片１３ａとの干渉を避けるため、左位置決め片に対応する部分を切り欠いた形状となっている。また、上折プレート３及び各折曲げプレート４〜６は、狭持部材１０との干渉を避けるため、狭持部材１０に対応する部分を切り欠いた形状となっている。
【００３７】
付勢部材１１は、上方に摺動（スライド）させた上折プレート３をもとの位置に戻す役割を有する部材である。図１に示すように、本実施形態では付勢部材１１としてバネ１１を使用する。バネ１１は、上側の縦軸支部１４ｃと上折プレート３の連結部材２１との間であって、バネ１１の内部を縦軸部１４ａが貫くような位置関係で配置されている。また、バネ１１は自然長よりも短い状態で配置されており、上折プレート３の連結部材２１はバネ１１により下方に付勢させた状態を維持している。かかる構成により、手動により連結部材２１（上折プレート３）を縦軸部１４ａの上方にスライドさせた場合、その後手を離すとバネ１１の付勢力によって連結部材２１（上折プレート３）は縦軸部１４ａの中央に押し戻される。なお、上折プレート３以外のプレート４〜８は、縦軸部１４ａに沿ってスライドすることができないため、上折プレート３は、その他のプレート４〜８に対して、上折辺１９側の方向にスライドすることになる。
【００３８】
以上が本実施形態にかかる用紙折畳み用補助具１の構成についての説明である。
【００３９】
次に、本実施形態に係る用紙折畳み用補助具１の使用方法について説明する。具体的には、Ａ３サイズの用紙Ｐ３をＡ４サイズに折畳む方法、Ａ２サイズの用紙Ｐ２を簡易折りでＡ４サイズに折畳む方法、Ａ２サイズの用紙Ｐ２を標準折りでＡ４サイズに折畳む方法、そして、Ａ１サイズの用紙Ｐ１をＡ４サイズに折畳む方法について、それぞれ図２〜５（Ａ２の標準折りは、図４−１及び図４−２）を参照し順に説明する。
【００４０】
図２は、Ａ３サイズの用紙Ｐ３をＡ４サイズに折畳む手順を示した図である。まず、（ａ）に示すように、全てのプレート３〜８及び狭持部材１０を開いた状態にする。次に、（ｂ）に示すように、用紙Ｐ３をベース面１２上の用紙配置領域１６に配置する。このとき、用紙Ｐ３の左端及び下端をそれぞれ左端位置決め片１３ａ及び下端位置決め片１３ｂ、１３ｃに当接させることで、用紙Ｐ３を用紙配置領域１６に配置することができる。次に、（ｃ）に示すように、狭持部材１０により用紙Ｐ３を狭持して、ベース面１２に固定する。次に、（ｄ）に示すように上折プレート３を閉じる（積層する）。次に、（ｅ）に示すように上折プレート３の補助折曲げ辺２０に沿って用紙Ｐ３を折曲げ、さらに、用紙Ｐ３の端部が補助折曲げ辺２０と重なるように用紙Ｐ３を折返す。最後に、（ｆ）に示すように用紙Ｐ３を用紙折畳み用補助具１から取り出す。以上の手順を経ることにより、日本工業規格に記載されている折畳み方法（図６参照）によってＡ３サイズからＡ４サイズに折畳まれた用紙Ｐ３が完成する。
【００４１】
図３は、Ａ２サイズの用紙Ｐ２を簡易折りでＡ４サイズに折畳む手順を示した図である。まず、（ａ）に示すように、図２の場合と同様、用紙Ｐ２をベース面１２上の用紙配置領域１６に配置し、狭持部材１０によりベース面１２上に固定する。次に、（ｂ）に示すように上折プレート３を閉じ（積層し）、用紙Ｐ２の上方部分を下方に折曲げる。このとき、用紙Ｐ２の左上部の角を内側に折曲げた後に上折プレート３の上折辺１９に沿って用紙Ｐ２全体を折曲げる。用紙配置領域１６の下端から上折プレート３の上折辺１９までの寸法がＡ４サイズの縦寸法に等しいため、用紙Ｐ２の縦寸法はＡ４サイズの縦寸法となる。次に、（ｃ）に示すように、第１折曲げプレート４を閉じる（積層する）。次に、（ｄ）に示すように、第１折曲げプレート４の第１折曲げ辺２２に沿って用紙Ｐ２を折曲げ、さらに、用紙Ｐ２の端部が第１折曲げプレート４の第１折曲げ辺２２に位置するように用紙Ｐ２を折返す。用紙配置領域１６の左端から第１折曲げプレート３の第１折曲げ辺２２までの寸法がＡ４サイズの横寸法に等しいため、用紙Ｐ２の横寸法はＡ４サイズの横寸法となる。そして、（ｅ）に示すように狭持部材１０を開いて、（ｆ）に示すように上折プレート３の連結部材２１を手で上に持ち上げる。これにより、上折プレート３が上方にスライドし、用紙Ｐ２が上折プレート３によって押し出される。そして、手を離すと、付勢部材１１により上折プレート３がもとの位置に押し戻されるため、用紙Ｐ２だけ取り残された状態になる。よって、用紙折畳み用補助具１から用紙Ｐ２を容易に取り出すことができる。以上の手順を経ることにより、日本工業規格に記載されている折畳み方法（図６参照）のうち簡易折りによってＡ２サイズからＡ４サイズに折畳まれた用紙Ｐ２が完成する。
【００４２】
図４−１及び図４−２は、Ａ２サイズの用紙Ｐ２を標準折りでＡ４サイズに折畳む手順を示した図である。このうち、図４−１の（ａ）〜（ｃ）は、図３の（ａ）〜（ｃ）と同じであるため、説明を省略する。図４−１の（ｃ）に示す手順の後、（ｄ）に示すように用紙Ｐ２第１折曲げプレート４の第１折曲げ辺２２に沿って折曲げる。次に、（ｅ）に示すように第１折返しプレート７を閉じ（積層し）、（ｆ）に示すように、第１折返し辺２８に沿って用紙Ｐ２を折返す。次に、図４−２の（ｇ）に示すように第２折曲げプレート５を閉じ（積層し）、（ｈ）に示すように第２折曲げ辺２４に沿って用紙Ｐ２を折曲げる。次に、（ｉ）に示すように第２折返しプレート８を閉じ（積層し）、（ｊ）に示すように第２折返し辺３０に沿って用紙Ｐ２を折返す。そして、（ｋ）に示すように狭持部材１０を外し、（ｌ）に示すように上折プレート３をスライドさせて用紙Ｐ２を取り出す。以上の手順を経ることにより、日本工業規格に記載されている折畳み方法（図６参照）のうち標準折りによってＡ２サイズからＡ４サイズに折畳まれた用紙Ｐ２が完成する。
【００４３】
図５は、Ａ１サイズの用紙Ｐ１をＡ４サイズに折畳む手順を示した図である。まず、（ａ）に示すように用紙Ｐ１をベース面１２上の用紙配置領域１６に配置する。次に、（ｂ）に示すように、上折プレート３及び狭持部材１０を閉じ（積層し）、用紙Ｐ１の上方部分を下方に折曲げる。このとき、用紙Ｐ１の左上部の角を内側に折曲げた後、上折プレート３の上折辺１９に沿って用紙Ｐ１全体を折曲げる。次に、（ｃ）に示すように、第１折曲げプレート４を閉じ（積層し）、第１折曲げ辺２２に沿って用紙Ｐ１を折曲げる。次に、（ｄ）に示すように、第２折返しプレート８を閉じ（積層し）、第２折返し辺３０に沿って用紙Ｐ１を折返す。このとき、第１折返しプレート７も第２折返しプレート８とともに閉じる（積層する）が、用紙Ｐ１の折畳み作業には直接使用しない。次に、（ｅ）に示すように、第３折曲げプレート６を閉じる（積層する）。このとき、第２折曲げプレート５も第３折曲げプレート６とともに閉じる（積層する）が、用紙Ｐ１の折畳み作業には直接使用しない。次に、（ｆ）に示すように、第３折曲げプレート６の第３折曲げ辺２６に沿って用紙Ｐ１を折曲げ、用紙Ｐ１の端部が第３折曲げ辺２６に重なるように用紙Ｐ１を折返し、さらに、用紙Ｐ１の右下部の角を内側に折曲げる。最後に、（ｇ）に示すように、上折プレート３をスライドさせて用紙Ｐ１を取り出す。以上の手順を経ることにより、日本工業規格に記載されている折畳み方法（図６参照）によってＡ１サイズからＡ４サイズに折畳まれた用紙Ｐ１が完成する。
【００４４】
以上が、本実施形態にかかる用紙折畳み用補助具１の説明である。以上説明した本実施形態によれば、初めに用紙を用紙配置領域に配置してしまえば、用紙の位置を動かすことなく、各プレート３〜８を積層しそれに沿って折畳んでいくことで、日本工業規格に記載された折畳み方で用紙を折畳むことができる。なお、理解の助けになるよう上述の実施形態において、各サイズの用紙が使用するプレートの対応表を以下に示す。表中の丸数字は各プレートの使用順番を示しており、例えば、Ａ２サイズの用紙を簡易折りでＡ４サイズに折畳む場合は、「Ａ２簡易折り（図３）」欄の縦の列をみると、１番目に上折プレートを使用し、２番目に第１折曲げプレートを使用することがわかる。
【００４５】
【表１】
0004060879.tif 000002
【００４６】
なお、以上では、各プレート３〜８が回動する回転軸が２つ（第１軸１７、第２軸１８）ある場合について説明したが、これに代えて各プレート３〜８が回動する回転軸を１つとしてもよい。例えば、上折プレート３、第１折曲げプレート４、第２折曲げプレート５、第３折曲げプレート６の回転軸を第１軸１７から第２軸１８にし、全てのプレート３〜８が第２軸１８を回転軸として回動するようにしてもよい。この場合であっても、日本工業規格に記載された折畳み方で用紙を折畳むことができる。ただし、本実施形態のように軸部（回転軸）を２つ用いれば、軸部１４ａ、１５ａと各プレート３〜８との間に多少のがたつきがあっても、それぞれの軸部１４ａ、１５ａに連結するプレート３〜８が互いにがたつきを抑える役割を果たすことができ、また、第１折曲げプレート４、第２折曲げプレート５、第３折曲げプレート６の回転軸をベース面１２の左側に位置させることで、これらの折曲げプレート４〜６の上端部分及び下端部分を立ち上がらせて、剛性を向上させることができる。
【００４７】
また、以上では、第１軸１７と第２軸１８とが直角をなす場合について説明したが、必ずしも第１軸１７と第２軸１８とが直角をなすようにする必要はない。第１軸１７と第２軸１８がどのような位置関係であっても、各プレート３〜８の折曲げ辺２０、２２、２４、２６、折返し辺２８、３０、及び上折辺１９のそれぞれが、上述した所定の関係になっていればよい。
【００４８】
また、以上では、各折曲げプレート３〜６の形状が折曲げ辺２０、２２、２４、２６から縦軸部１４ａ近傍まで広がっている場合について説明したが、必ずしもこのような形状にする必要はなく、例えば各折曲げプレート３〜６の縦軸部１４ａ側を大きく切り欠いた形状にしても良い。このように、一部を切り欠いたような形状にすることで、用紙折畳み用補助具全体を軽量化することができる。同様の理由から、各折返しプレート７、８の横軸部１５ａ側を大きく切り欠いても良い。
【００４９】
また、以上では、用紙を折畳む手順中に、第１折曲げプレート４の第１折曲げ辺２２に沿って用紙を折曲げる場合について説明したが、第１折曲げプレート４の第１折曲げ辺２２に沿って折曲げるところを、上折プレート３の補助折曲げ辺２０に沿って折曲げるようにしてもよい。かかる構成によれば、第１折曲げプレート４が不要となり、用紙折曲げ用補助具１からプレートを１枚減らすことができる。
【産業上の利用可能性】
【００５０】
以上のように、本発明によれば、日本工業規格に記載されている折り方で折畳むことができ、かつ、最初に位置合せを行えば再度の位置合せが不要である用紙折畳み用補助具を提供することができる。よって、用紙折畳み用補助具の分野において有益である。
【図面の簡単な説明】
【００５１】
【図１】本願発明の実施形態に係る用紙折畳み用補助具の斜視図である。
【図２】本願発明の実施形態に係るＡ３サイズの用紙をＡ４サイズに折畳む手順を示した図である。
【図３】本願発明の実施形態に係るＡ２サイズの用紙を簡易折りでＡ４サイズに折畳む手順を示した図である。
【図４−１】本願発明の実施形態に係るＡ２サイズの用紙を標準折りでＡ４サイズに折畳む手順を示した図である。
【図４−２】本願発明の実施形態に係るＡ２サイズの用紙を標準折りでＡ４サイズに折畳む手順を示した図である。
【図５】本願発明の実施形態に係るＡ１サイズの用紙をＡ４サイズに折畳む手順を示した図である。
【図６】日本工業規格に記載されているＡ１〜Ａ３サイズの用紙をＡ４サイズに折畳む方法を示した図である。
【符号の説明】
【００５２】
１  用紙折畳み用補助具
２  ベース部材
３  上折プレート
４  第１折曲げプレート
５  第２折曲げプレート
６  第３折曲げプレート
７  第１折返しプレート
８  第２折返しプレート
１０  狭持部材
１１  バネ（付勢部材）
１２  ベース面
１３  位置決め手段
１６  用紙配置領域
１７  第１軸
１８  第２軸
１９  上折辺
２０  補助折曲げ辺
２２  第１折曲げ辺
２４  第２折曲げ辺
２６  第３折曲げ辺
２８  第１折返し辺
３０  第２折返し辺
【要約】
【課題】
本発明は、日本工業規格に記載されている折り方で折畳むことができ、かつ、最初に位置合せを行えば再度の位置合せが不要である用紙折畳み用補助具を提供することを目的としている。
【解決手段】
本発明にかかる用紙折畳み用補助具１は、ベース部材２と、上折プレート３と、第１折曲げプレート４と、を備えている。ベース部材２は、用紙を所定の用紙配置領域１６に配置するための位置決め手段１３を有している。また、上折プレート３は上折辺１９を有し、第１折曲げプレート４は第１折曲げ辺２２を有している。そして、各プレート３、４がベース面１２上に積層されたとき、上折辺１９が第１折曲げ辺２２に対して直角をなし、用紙配置領域１６の下端から上折辺１９までの寸法が所定の縦寸法に等しく、用紙配置領域１６の左端から第１折曲げ辺２２までの寸法が所定の横寸法に等しくする。
【選択図】図１【図１】
0004060879.tif 000003
【図２】
0004060879.tif 000004
【図３】
0004060879.tif 000005
【図４−１】
0004060879.tif 000006
【図４−２】
0004060879.tif 000007
【図５】
0004060879.tif 000008
【図６】
0004060879.tif 000009